(57)【要約】  【課題】  学習方法に関して、例えば教科書による学習順番は学習の効率性について考慮され決定されたものではない、という課題がある。場合によっては平面図形を先に学び、その平面図形の概念を知ってから一次関数を学んだ方が一次関数の理解が容易であるかもしれないし、その逆の場合もあるかもしれない。  【解決手段】  上記課題を解決するために、本発明は、この学習順番の決定を支援するためのシステムを提供する。具体的には、学習のための問題を蓄積する問題蓄積部と、出題する順番を定める出題ルールを複数保持する出題ルール保持部と、出題ルールを個々の学習者別に割り当てる出題ルール割当部と、その出題ルールに従って問題を複数の学習者端末装置に送信する問題送信部と、学習者の成績情報を取得する成績情報取得部と、を有する学習支援システムを提供する。  【選択図】  図２
2005189352.tif 000002
【特許請求の範囲】
【請求項１】
学習のための問題を蓄積する問題蓄積部と、
前記問題蓄積部に蓄積された問題の全部又は一部を出題する順番を定める出題ルールを複数保持する出題ルール保持部と、
前記出題ルール保持部に保持されている出題ルールを個々の学習者別に割り当てる出題ルール割当部と、
前記出題ルール割当部にて割り当てられた出題ルールに従って問題を複数の学習者端末装置に送信する問題送信部と、
前記問題送信部が送信した学習者端末装置と関連付けて学習者の成績情報を取得する成績情報取得部と、
を有する学習支援システム。
【請求項２】
前記成績情報取得部が取得する成績情報は、前記学習者の端末装置に送信された問題を学習者が回答した結果に基づく情報である請求項１に記載の学習支援システム。
【請求項３】
前記成績情報取得部が取得した成績情報に基づいてもっとも成績がよい学習者に対応する出題ルールを選択する出題ルール選択部を有する請求項１又は２に記載の学習支援システム。
【請求項４】
前記成績情報取得部が取得した成績情報に基づいて新たな出題ルールを生成する出題ルール生成部を有する請求項１から３のいずれか一に記載の学習支援システム。
【請求項５】
前記出題ルール割当部は、前記成績情報に基づいて割り当てを行う請求項１から４のいずれか一に記載の学習支援システム。
【請求項６】
前記学習のための問題は、暗記問題である請求項１から５のいずれか一に記載の学習支援システム。
【請求項７】
前記成績情報取得部は、学習者の回答までの時間を示す情報を含む成績情報を取得する請求項１から６のいずれか一に記載の学習支援システム。
【発明の詳細な説明】
【技術分野】
【０００１】
本発明は、効率的な学習方法の決定を支援するための技術に関する。
【背景技術】
【０００２】
現在、学校や通信教育などの教育現場において、学習は、「国語」、「数学（算数）」、「英語」、「理科」、「社会」といった具合に教科ごとにカテゴリーに分けられ、その教科に関する授業等を受けることによって行われるのが一般的である。
【０００３】
そして、文部科学省の定める学習指導要領に基づいて作成された教科書などによって、例えば数学ならば、第４章で一次関数、第５章で平面図形といった具合に学習の順番が決められている。また、特許文献１に示すように、コンピュータによって教育を行うにあたり、ストーリーに沿って変化し得る具象的情報による説明を学習者のコンピュータのグラフィックディスプレーに表示し、また、グラフィックディスプレーのひとつのウィンドウに学習 対象のアプリケーションの使用手順を表示し、この手順に従って、学習 者がグラフィックディスプレーの他のウィンドウで当該のアプリケーションの使い方を実習することを可能にする技術はあった。
【特許文献１】特開２００３−３４５２２８
【発明の開示】
【発明が解決しようとする課題】
【０００４】
しかし、上記従来技術による学習順番はどのような順番で学習を行うのがそれぞれの学習者にとって、最も効率の良い学習順番なのか、について考慮され決定されたものではない、という課題がある。場合によっては平面図形を先に学び、その平面図形の概念を知ってから一次関数を学んだ方が一次関数の理解が容易であるかもしれない。また、分数の加減乗除について複数例題があるとして、ある例題から解いた方が効率良く理解できるかもしれない。あるいは、ある教科内の学習順番のみならず、例えば、現代文、古文、漢文、といった関連教科間の学習順番、または国語、社会、数学、などの教科間の学習順番に関しても、同様に効率的な学習順番が存在すると考えられる。
【課題を解決するための手段】
【０００５】
上記課題を解決するために、本発明は、この学習順番の決定を支援するためのシステムを提供する。具体的には、学習のための問題を蓄積する問題蓄積部と、出題する順番を定める出題ルールを複数保持する出題ルール保持部と、出題ルールを個々の学習者別に割り当てる出題ルール割当部と、その出題ルールに従って問題を複数の学習者端末装置に送信する問題送信部と、学習者の成績情報を取得する成績情報取得部と、を有する学習支援システムを提供する。
【発明の効果】
【０００６】
以上のような構成をとる本発明によって、どの出題ルールによる問題回答が良い成績を残せるのか、を知ることができ、したがって学習者にとって効率の良い学習順番を知ることができるようになる。
【発明を実施するための最良の形態】
【０００７】
以下に、図を用いて本発明の実施の形態を説明する。なお、本発明はこれら実施の形態に何ら限定されるものではなく、その要旨を逸脱しない範囲において、種々なる態様で実施しうる。
【０００８】
なお、実施例1は主に請求項１について説明する。
【０００９】
また、実施例２は主に請求項２について説明する。
【００１０】
また、実施例３は主に請求項３について説明する。
【００１１】
また、実施例４は主に請求項４について説明する。
【００１２】
また、実施例５は主に請求項５について説明する。
【００１３】
また、実施例６は主に請求項６について説明する。
【００１４】
また、実施例７は主に請求項７について説明する。
【００１５】
≪実施例１≫
【００１６】
（実施例１の概念）
【００１７】
図１に示すのは、本実施例の学習支援システムの概念の一例を説明するための図である。この図にあるように、本実施例の学習支援システムによって、一日目にサーバからＡグループに面積を求めさせる問題が送信されてくる。Ａグループはその問題にしたがって平面図形の面積の求め方などを学ぶ。続いて第二日目に同様にして一次関数の交点を求めさせるテスト問題などが送信され、一次関数についてＡグループは学ぶ。一方Bグループには、第一日目には一次関数の交点を求める問題が送信され、第二日目には面積を求めるテスト問題が送信されてくる。その後、このＡとＢ両方のグループに平面図形と一次関数についての理解度を確認するための理解度確認テスト問題がサーバから送信される。そしてこの理解度確認テスト問題の回答の成績結果が、Ａグループの平均の方がBグループのそれより高ければ、例えば図形問題によって平面の概念を頭においてからX軸、Y軸の座標空間を学ぶという学習順番が、学習内容の理解にとって効率的な学習順番であると考えられる。あるいはBグループの成績の方が良ければ、X軸、Y軸の座標空間の概念を頭においてから平面図形を学んだ方がより効率的な学習順番であると考えられる。
【００１８】
このように本実施例の学習支援システムによって、異なる出題順番の問題を学習者に回答させ、その回答結果による成績に基づいて効率的な学習順番を決定することが可能になる、と考えられる。
【００１９】
（実施例１の構成）
【００２０】
図２に示すのは、本実施例の学習支援システムの機能ブロックの一例を表す図である。この図にあるように、本実施例の学習支援システムは、「サーバ装置」（０２００）と、「学習者端末装置」（０２１０）と、からなる。そしてサーバ装置は、「問題蓄積部」（０２０１）と、「出題ルール保持部」（０２０２）と、「出題ルール割当部」（０２０３）と、「問題送信部」（０２０４）と、「成績情報取得部」（０２０５）と、を有している。
【００２１】
「問題蓄積部」（０２０１）は、学習のための問題を蓄積する機能を有する。この問題蓄積部は、例えば、ハードディスクドライブやメモリなどの記憶媒体や、フレキシブルディスクやＣＤ−ＲＯＭやＤＶＤ−ＲＯＭなどの磁気／光学ディスクなどと、それらに蓄積された情報を参照、取得したり新たに書き加えたりするためのプログラムやソフトウェアなどによって実現される。「問題」とは、例えば「この図形の面積を求めなさい」といった数学の問題や、「年号を答えなさい」といった歴史の問題、あるいは漢字の問題、元素記号の問題、和訳の問題などが挙げられる。
【００２２】
図３に示すのは、この問題蓄積部で蓄積されている問題の一例について説明するための図である。この図にあるように、問題蓄積部では、識別情報００１ａａで識別される「対角がそれぞれ等しく対辺がそれぞれ等しい四辺形は？」という平面図形の概念に関する問題や、同様に００１ｂｂで識別される「平行四辺形の面積の求め方は？」という平面図形の面積の問題、あるいは００２ａａで識別される「傾きａのエレベーターのｘ秒後の高さは？」といった一次関数の概念に関する問題や、００２ｂｂで識別される「二つの一次関数の交点は？」といった一次関数の交点に関する問題がその内容によって識別情報と関連付けて蓄積されている。もちろん、国語、社会、理科、英語などそれぞれの教科に関しても同様にして問題が蓄積されている。
【００２３】
「出題ルール保持部」（０２０２）は、出題ルールを複数保持する機能を有する。「出題ルール」とは、問題蓄積部（０２０１）に蓄積された問題の全部又は一部を出題する順番を定めるルールをいう。この出題ルール保持部は前記問題蓄積部と同様に、例えば、ハードディスクドライブやメモリなどの記憶媒体や、ＣＤ−ＲＯＭやＤＶＤ−ＲＯＭなどの光学磁気ディスクなどと、それらに蓄積された情報を参照、取得したり新たに書き加えたりするためのプログラムやソフトウェアなどによって実現される。
【００２４】
図４に示すのは、この出題ルール保持部で保持されている出題ルールの一例について説明するための図である。この図にあるように、出題ルール１では第一日目に００１ａａの問題を送信した後、第二日目に００２ｂｂの問題を解かせる、すなわち平面図形の概念に関する問題の後に一次関数の傾きに関する問題を解かせる出題順番である。同様に、出題ルール２では００１ｂｂの問題の後、００２ｂｂの問題を解かせる、出題ルール３では００２ｂｂの問題の後、００１ａａの問題を解かせる、という出題順番が定められている。
【００２５】
勿論、この出題ルールは、例えば東北地方の地理に関する地理問題の後、奥州藤原氏についての歴史問題が出題される、といった関連教科間の学習順番の出題ルールであっても良いし、また、社会の歴史で明治時代の風俗や生活などについての問題を解いた後、その時代背景に基づいた夏目漱石の文学作品についての国語の問題が出題される出題ルールなどであっても良い。
【００２６】
また上記例では一日目、二日目という具合に日をおいて問題を送信する出題ルールとしたが、その出題ルールが、テストの一問目が平面図形に関する問題で二問目が一次関数の問題、という具合に一つのテストの中での出題順番であっても良い。
【００２７】
「出題ルール割当部」（０２０３）は、出題ルール保持部に保持されている出題ルールを個々の学習者別に割り当てる機能を有する。この出題ルール割当部は、例えばＣＰＵなどの演算装置で実現される。そして、その割り当ては、例えば出題ルール１に基づいた問題をランダムで選択した学習者端末装置に対して送信し、また出題ルール２に基づいた問題を残りの学習者端末装置に対して送信する、などの方法が挙げられる。あるいは、後述する実施例５で説明するように、学習者の成績レベルに応じてグループ分けを予め行い、そのグループごとに出題ルールを割り当てても良い。
【００２８】
「問題送信部」（０２０４）は、出題ルール割当部にて割り当てられた出題ルールに従って問題を複数の学習者端末装置（０２１０）に送信する機能を有する。この送信は、例えば、予め学習者にメールアドレスを登録しておいてもらい、その登録メールアドレスに対して出題ルールに従った問題を添付、または本文に記載する形態で行う方法が挙げられる。あるいは、学習者が自身の学習者端末装置でサーバ装置にアクセスしてきた場合にその学習者端末装置のＩＰアドレスに基づいて、出題ルールに従った問題を表示画面に表示させるためにｈｔｍｌ言語で記述した問題を送信したり、ダウンロードさせるために問題のテキストファイルを送信したりしても良い。
【００２９】
またこの問題送信部において、後述する成績情報取得部での成績情報の分類を行うために、学習者端末装置の識別情報と、該学習者端末装置に送信した出題ルールの識別情報とを関連付けて保持していても良い。それによって、出題ルールごとの成績情報を取得、分類することが可能になる。
【００３０】
「成績情報取得部」（０２０５）は、問題送信部（０２０４）が送信した学習者端末装置と関連付けて学習者の成績情報を取得する機能を有する。この取得する学習者の成績情報は、例えば、問題送信部より送信した問題の理解度を確かめるために改めて送信した理解度確認問題に対する回答のでも良い。あるいは、実施例２で後述する様に問題送信部より送信した問題そのものの回答の成績情報でも良い。「成績情報」とは、学習者の成績を示す情報をいい、各種テストの回答の点数や正解率などが挙げられる。
【００３１】
また、成績情報と学習者端末装置との関連付けに関して、前述のように問題送信部での送信の際に予め学習者端末装置の識別情報と、該学習者端末装置に送信した出題ルールの識別情報とを関連付けて保持しておくことで、出題ルールごとの成績情報が取得可能にしておくと良い。あるいは、学習者端末装置から回答が送信されてくる際に、その問題の出題ルールを識別する情報も同時に送信されることで、出題ルールと成績情報との関連付けが行われても良い。
【００３２】
このように出題ルールごとの成績情報を取得することで、どの出題ルールによる問題回答が良い成績を残せるのか、を知ることができ、したがって学習者にとって効率の良い学習順番を知ることができるようになる。
【００３３】
（実施例１の処理の流れ）
【００３４】
図５に示すのは、本実施例の学習支援システムの処理の流れの一例を表すフローチャートである。なお、以下に示す処理の流れは、方法、計算機に実行させるためのプログラム、またはそのプログラムが記録された読み取り可能な記録媒体として実施されうる（以下、本明細書に記載する全ての処理の流れについても同様である）。
【００３５】
この図にあるように、まず、予め複数保持されている出題ルールを個々の学習者別に割り当てる（ステップＳ０５０１）。次に、前記ステップＳ０５０１にて割り当てられた出題ルールに従って、予め蓄積されている学習のための問題の全部又は一部を複数の学習者端末装置に送信する（ステップＳ０５０２）。最後に、前記ステップＳ０５０２にて送信した対象の学習者端末装置と関連付けて学習者の成績情報を取得する（ステップＳ０５０３）。
【００３６】
（実施例１の効果の簡単な説明）
【００３７】
以上のように、どの出題ルールによる問題回答が良い成績を残せるのか、を知ることができ、したがって、例えば歴史で明治時代の生活、風俗について学んだ後、国語で夏目漱石を学ぶとその理解が良くなる、とか逆に国語で夏目漱石の作品に触れてから歴史で明治時代について学ぶと効率よく憶えられる、といった具合に学習者にとって効率の良い学習順番を知ることができるようになる。
【００３８】
（実施例１のその他の例）
【００３９】
上記実施例では、サーバ装置から学習者の学習者端末装置に問題を送信し、またその回答を学習者端末装置からサーバ装置に送信してもらう、といういわゆる通信教育を基本とした実施例について説明した。しかしこの通信教育を基本とする実施例のほかに、学校での授業などで先生が問題と出題ルールが記憶されたＣＤ−ＲＯＭなどを生徒に配布し、生徒は自宅でそのＣＤ−ＲＯＭの問題を解いて学習するという実施例であっても良い。
【００４０】
図６に示すのは、このＣＤ−ＲＯＭなど外部記憶媒体を利用した学習支援システムの実施例の機能ブロックの一例を表す図である。なお、図中の「問題蓄積部」（０６２１）と、「出題ルール保持部」（０６２２）と、「出題ルール割当部」（０６１３）と、「問題送信部」（０６２４）と、「成績情報取得部」（０６０５）の作用の詳しい説明は上記記述済みであるとして省略し、処理の流れの概略などについて説明する。
【００４１】
この図にあるように、本実施例の学習支援システムは、サーバ装置（又は指導者用端末装置０６００）と、「学習者端末装置」（０６１０）と、「ＣＤ−ＲＯＭ」など外部記憶媒体（０６２０）と、からなる。まず、先生（指導者）が、「問題蓄積部」と「出題ルール保持部」、「問題送信部」を有するＣＤ−ＲＯＭを生徒それぞれに配布する。このＣＤ−ＲＯＭには、生徒または複数の生徒の組ごとに異なった問題や出題ルールが保持されている。生徒は家に持ち帰ったこのＣＤ−ＲＯＭを自宅の学習者端末装置の読取ドライブに挿入する。すると、出題ルールにしたがって問題送信部から問題を送信するプログラムが学習者端末装置のメモリ上（出題ルール割当部）で展開、実行される。このプログラムにしたがって問題蓄積部に蓄積されている問題が学習者端末装置に送信され、出題ルールに従った順番で表示画面に問題が表示される。生徒はこのＣＤ−ＲＯＭを利用して、自身に割当てられている出題ルールの順番に沿って問題を解いていき、最後に理解度確認テスト問題の回答や、問題蓄積部に蓄積されている問題の回答を、インターネットなどの通信網を利用して指導者が利用するサーバ装置の成績情報取得部に送信する。あるいはフレキシブルディスクなどの外部記憶媒体を介して成績情報が指導者用端末装置に入力、取得される。
【００４２】
以上のようにして学校の教育現場などでも、本実施例の学習支援システムを利用し、効率的な出題ルールを探ることが可能となる。
【００４３】
≪実施例２≫
【００４４】
（実施例２の概念）
【００４５】
本実施例の学習支援システムは、実施例１を基本として、問題送信部から送信された問題に対する回答の成績状況に基づいて、効率的な学習順番を探る学習支援システムである。
【００４６】
（実施例２の構成）
【００４７】
本実施例の学習支援システムは、実施例１を基本として、「サーバ装置」と、「学習者端末装置」と、からなる。そしてサーバ装置は実施例１と同様に、「問題蓄積部」と、「出題ルール保持部」と、「出題ルール割当部」と、「問題送信部」と、「成績情報取得部」とを有する。そして特徴点として、成績情報取得部が取得する成績情報が、前記学習者の端末装置に送信された問題を学習者が回答した結果に基づく情報である点である。
【００４８】
なお、「問題蓄積部」と、「出題ルール保持部」と、「出題ルール割当部」と、「問題送信部」と、「成績情報取得部」の作用の詳しい説明は上記記述済みであるとして省略する。
【００４９】
図１１に示すのは、本実施例の学習支援システムによって取得される成績情報の一例を表した図である。この図にあるように、例えば、問題蓄積部で蓄積されており、図３において説明した識別情報で識別される問題の正解率が、図４で説明した識別情報で識別される出題ルールごとに算出され取得される。勿論、個人やグループ別に、その得点や正解・不正解の区別を示す情報が問題と出題ルールごとに取得されても良い。
【００５０】
（実施例２の効果の簡単な説明）
【００５１】
以上のように、問題送信部において送信した問題の回答に基づく成績情報を取得することによって、問題蓄積部に蓄積されている問題それ自体の理解度を判断することが可能になる。
【００５２】
また、改めて理解度確認テスト問題などを作成、実施する手間も省ける。
【００５３】
≪実施例３≫
【００５４】
（実施例３の概念）
【００５５】
本実施例の学習支援システムは、実施例１又は２を基本として、最も成績が良い学習者に対応する出題ルールを最も効率の良い学習順番として、該当する出題ルールを選択する機能を備えた学習支援システムである。
【００５６】
（実施例３の構成）
【００５７】
図７に示すのは、本実施例の学習支援システムの機能ブロックの一例を表す図である。この図にあるように、本実施例の学習支援システムは、実施例１又は２を基本として、「サーバ装置」（０７００）と、「学習者端末装置」（０７１０）と、からなる。そしてサーバ装置は実施例１又は２と同様に、「問題蓄積部」（０７０１）と、「出題ルール保持部」（０７０２）と、「出題ルール割当部」（０７０３）と、「問題送信部」（０７０４）と、「成績情報取得部」（０７０５）とを有する。なお、「問題蓄積部」（０７０１）と、「出題ルール保持部」（０７０２）と、「出題ルール割当部」（０７０３）と、「問題送信部」（０７０４）と、「成績情報取得部」（０７０５）の作用の詳しい説明は上記記述済みであるとして省略する。
【００５８】
そして特徴点として、「出題ルール選択部」（０７０６）をさらに有する。
【００５９】
「出題ルール選択部」（０７０６）は、成績情報取得部（０７０５）が取得した成績情報に基づいてもっとも成績がよい学習者に対応する出題ルールを選択する機能を有する。「もっとも成績がよい」とは、例えば、個人の得点やグループの平均点、平均回答率がもっともよい場合でも良いし、グループ内の最高得点や最高回答率者の得点や回答率を比較してもっともよい場合でも良い。
【００６０】
このようにして出題ルール選択部で選択された出題ルールの識別情報に基づいて、例えば、出題ルール保持部から該当する出題ルールが取得され、出題ルール割当部に送信される。あるいは、まず出題ルール割当部に選択された出題ルールの識別情報が送信され、ｓの送信された識別情報に基づいて出題ルール割当部が出題ルール保持部から出題ルールを取得する。
【００６１】
（実施例３の処理の流れ）
【００６２】
図８に示すのは、本実施例の処理の流れの一例を表すフローチャートである。この図にあるように、まず、予め複数保持されている出題ルールを個々の学習者別に割り当てる（ステップＳ０８０１）。次に、前記ステップＳ０８０１にて割り当てられた出題ルールに従って、予め蓄積されている学習のための問題の全部又は一部を複数の学習者端末装置に送信する（ステップＳ０８０２）。続いて、前記ステップＳ０８０２にて送信した対象の学習者端末装置と関連付けて学習者の成績情報を取得する（ステップＳ０８０３）。最後に、前記ステップＳ０８０３で取得した成績情報に基づいて、もっとも成績のよい学習者に対応する出題ルールを選択する（ステップＳ０８０４）。
【００６３】
（実施例３の効果の簡単な説明）
【００６４】
以上のように、本実施例の学習支援システムによってもっとも成績のよい学習者に対応する出題ルールを選択することで、今後他の学習者に対しても学習効果がある学習順番の一つを提案することが可能になる。
【００６５】
≪実施例４≫
【００６６】
（実施例４の概念）
【００６７】
本実施例の学習支援システムは、実施例１などを基本として、例えば出題ルール１の順番で問題を送信したグループＡでは理解度確認テストで問１から問５０までの成績が良く、出題ルール２の順番で問題を送信したグループＢでは理解度確認テストで問５１から問１００までの成績が良かった場合に、出題ルール１と出題ルール２を合わせて新しい出題ルール３を生成し保持する学習支援システムである。
【００６８】
（実施例４の構成）
【００６９】
図９に示すのは、本実施例の学習支援システムの機能ブロックの一例を表す図である。この図にあるように、本実施例の学習システムは、実施例１から３のいずれか一を基本として、「サーバ装置」（０９００）と、「学習者端末装置」（０９１０）と、からなる。そしてサーバ装置は同様に、「問題蓄積部」（０９０１）と、「出題ルール保持部」（０９０２）と、「出題ルール割当部」（０９０３）と、「問題送信部」（０９０４）と、「成績情報取得部」（０９０５）と、を有する。なお、「問題蓄積部」（０９０１）と、「出題ルール保持部」（０９０２）と、「出題ルール割当部」（０９０３）と、「問題送信部」（０９０４）と、「成績情報取得部」（０９０５）の作用の詳しい説明は上記記述済みであるとして省略する。
【００７０】
そして特徴点として、「出題ルール生成部」（０９０６）をさらに有する。
【００７１】
「出題ルール生成部」（０９０６）は、成績情報取得部（０９０５）が取得した成績情報に基づいて新たな出題ルールを生成する機能を有する。
【００７２】
出題ルールの具体的な生成例としては、学習者（のグループ）を識別する情報とその学習者に送信した問題の出題ルールを識別する情報とを関連付けて保持しておく。また、それぞれの出題ルールも、微分に関する問の順番、図形に関する問の順番、行列に関する問の順番、といった具合にその内容によって細分化し管理可能な状態で保持しておく。
【００７３】
そして、学習者から成績情報として正解率や得点などを各問ごとに取得する。またこの各問の成績情報もそれぞれ微分、図形、行列、などその内容によって区分され識別情報が付されている。ここで、取得した成績情報のうち微分の識別情報で識別される問いの正解率がもっとも良かったのは、出題ルール３で出題された学習者のグループであった。この場合、細分化され管理されている出題ルール３の微分に関する問の順番の情報が選択される。同様に図形に関しては出題ルール４で出題された学習者のグループが、行列に関しては出題ルール１で出題された学習者のグループの正解率がそれぞれもっとも高かった。そこで、出題ルール１１として、微分に関しては出題ルール３の微分に関する問の順番、図形に関しては出題ルール４の図形に関する問の順番、行列に関しては出題ルール１の図形に関する問の順番を組合せ、新たな出題ルールを生成する。
【００７４】
このように、各問や各カテゴリーで出題ルールに応じた正解率や総得点などを比較し、最も良い出題ルールを組み合わせて新しい出題ルールを生成することが挙げられる。
【００７５】
そのほかにも、出題ルールごとの正解率や得点を、問題を送信した時系列に応じて取得し、最終的な得点が最も高くなる時系列の並びに応じた順番で出題ルールを組合せ新たな出題ルールを生成しても良い。このような出題ルールを生成することで、徐々に理解が深まる出題ルールを生成することができる。
【００７６】
以上のように、成績情報に応じて新たに出題ルールを生成することによって、さらに効率的な学習順番を提案することが可能になる。
【００７７】
（実施例４の処理の流れ）
【００７８】
図１０に示すのは、本実施例の処理の流れの一例を表すフローチャートである。この図にあるように、まず、予め複数保持されている出題ルールを個々の学習者別に割り当てる（ステップＳ１００１）。次に、前記ステップＳ１００１にて割り当てられた出題ルールに従って、予め蓄積されている学習のための問題の全部又は一部を複数の学習者端末装置に送信する（ステップＳ１００２）。続いて、前記ステップＳ１００２にて送信した対象の学習者端末装置と関連付けて学習者の成績情報を取得する（ステップＳ１００３）。最後に、前記ステップＳ１００３で取得した成績情報に基づいて、新たな出題ルールを生成する（ステップＳ１００４）。
【００７９】
（実施例４の効果の簡単な説明）
【００８０】
以上のように、本実施例の学習支援システムによって、成績情報に応じて新たに出題ルールを生成することができ、さらに効率的な学習順番を提案することが可能になる。
【００８１】
≪実施例５≫
【００８２】
（実施例５の概念）
【００８３】
本実施例の学習支援システムは、実施例１と同様に、学習者（のグループ）それぞれに出題ルールに従って問題を送信し、送信した問題や理解度確認テスト問題の成績情報を取得する。そして本実施例では、このとき取得した成績情報を元に、高得点者、中得点者、低得点者という具合に学習者（のグループ）のランク付けを行う。そして今度は同一ランク内でまた別々の出題ルールに応じた問題を送信する。そして再び成績情報を取得することで、高得点者、中得点者、低得点者にとって学習効率の良い出題ルールをそれぞれ探ることができるようになる。
【００８４】
（実施例５の構成）
【００８５】
本実施例の学習支援システムは、実施例１から４のいずれか一を基本としているため、その機能ブロック図は、例えば図２で示すものと同様である。そして本実施例の学習支援システムの特徴点としては、「出題ルール割当部」が、前記成績情報に基づいて割り当てを行うことが挙げられる。この割当ては、上記の様に正解率や得点に応じて学習者（のグループ）をランク分けし、そのランク内でさらに出題ルールを割当てる方法が挙げられる。
【００８６】
例えば出題ルール０１では、標準偏差以上の得点上位者の平均点が８０点であり、標準偏差以下の得点下位者の平均点が４０点であった。一方、出題ルール０２では、得点上位者の平均点が９５点であり、得点下位者の平均点が３０点であった。そこで、出題ルール０１は、得点下位者のグループには出題ルール０２より効果的な学習順番であるが、逆に出題ルール０２は得点上位者にとって効果的な学習順番である、と言える。そのほかにも平均点ではなく所定の得点以上の者の数を比較するなどの方法であっても良い。
【００８７】
（実施例５の効果の簡単な説明）
【００８８】
本実施例の学習支援システムによって、学習者の学習レベルに合わせて効率的な学習順番を知り、提案することが可能になる、と考えられる。
【００８９】
≪実施例６≫
【００９０】
（実施例６の概念と構成）
【００９１】
本実施例の学習支援システムは、実施例１から５のいずれか一を基本としているため、その機能ブロック図は、例えば図２で示すものと同様である。そして本実施例の学習支援システムの特徴点は、学習者端末装置に送信される問題が暗記問題である点である。
【００９２】
（実施例６の効果の簡単な説明）
【００９３】
とりわけ元素記号や公式、年号、漢字、英単語などの暗記問題は、その他の問題と異なり何らかの情報と関連付けて学習する、ということが困難であるため、その学習には苦労が多い。そこで本実施例の学習支援システムによって暗記問題を学習者端末装置に対して送信し成績情報を取得することで、暗記をするために効率良い学習順番がわかれば便利である。
【００９４】
≪実施例７≫
【００９５】
（実施例７の概念と構成）
【００９６】
本実施例の学習支援システムは、実施例１から６のいずれか一を基本としているため、その機能ブロック図は、例えば図２で示すものと同様である。そして本実施例の学習支援システムの特徴点は、成績情報取得部が、学習者の回答までの時間を示す情報を含む成績情報を取得する点である。
【００９７】
この時間を示す情報の取得方法に関しては、例えば、学習者端末装置に内蔵されている時計機能を利用して、問題を表示してから回答が入力されるまでの時間を取得するプログラムを組み込んでおく方法が挙げられる。
【００９８】
（実施例７の効果の簡単な説明）
【００９９】
このように、成績情報として回答にかかる時間を示す情報を取得することで、例えば在宅で問題を解かせた場合などに学習者がインターネットや書籍など正解を調べるといった不正行為を発見する、あるいは防ぐことが可能になる。
【０１００】
また、例えば出題ルール１で学習させた学習者の回答までの時間が短ければ、出題ルール１はより効果の高い学習順番であると考えることができる。従って、さらに効率の良い学習順番を提案することが可能になる。
【図面の簡単な説明】
【０１０１】
【図１】実施例１の学習支援システムの概念の一例を説明するための図
【図２】実施例１の学習支援システムの機能ブロックの一例を表す図
【図３】実施例１の学習支援システムの問題蓄積部で蓄積されている問題の一例について説明するための図
【図４】実施例１の学習支援システムの出題ルール保持部で保持されている出題ルールの一例について説明するための図
【図５】実施例１の学習支援システムの処理の流れの一例を表すフローチャート
【図６】実施例１の学習支援システムの機能ブロックの、外部記憶媒体を利用したその他の一例を表す図
【図７】実施例３の学習支援システムの機能ブロックの一例を表す図
【図８】実施例３の学習支援システムの処理の流れの一例を表すフローチャート
【図９】実施例４の学習支援システムの機能ブロックの一例を表す図
【図１０】実施例４の学習支援システムの処理の流れの一例を表すフローチャート
【図１１】実施例２の学習支援システムの成績情報の一例を表す図
【符号の説明】
【０１０２】
０２００  サーバ装置
０２０１  問題蓄積部
０２０２  出題ルール保持部
０２０３  出題ルール割当部
０２０４  問題送信部
０２０５  成績情報取得部
０２１０  学習者端末装置
【図１】
2005189352.tif 000003
【図２】
2005189352.tif 000004
【図３】
2005189352.tif 000005
【図４】
2005189352.tif 000006
【図５】
2005189352.tif 000007
【図６】
2005189352.tif 000008
【図７】
2005189352.tif 000009
【図８】
2005189352.tif 000010
【図９】
2005189352.tif 000011
【図１０】
2005189352.tif 000012
【図１１】
2005189352.tif 000013